(57)【要約】  【課題】  本考案の目的は、トリミング店でトリマーが犬の毛をカットするために使用しているテーブルと同じ設置スペースに収まる小型な犬の乾燥機であって、その上に犬を載せて犬の毛をカットすることに適した犬の乾燥機を提供することにある。  【解決手段】  犬を格納することを可能とした籠２であって、５０％以上の開口率を有する部材からなる円筒面を有する籠２を設け、籠２の円筒面２ｃの外側を公転するノズルダクト７ｃを設け、ノズルダクト７ｃの円筒面２ｃ側にノズル７ａを設け、ノズルダクト７ｃに空気を送風するブロア１０と、ブロア１０で送風する空気を暖めるヒータ９ｂとを有する犬の乾燥機１又は乾燥機本体３２とする。  そして、天井面３ｄにゴム板２２を取り付けた犬の乾燥機１とする。あるいは、乾燥機本体３２とゴム板３４を取り付けた天板３３を組み合わせた犬の乾燥機３１とする。【選択図】            図３
0003115659.tif 000002
【実用新案登録請求の範囲】
【請求項１】
犬の乾燥機であって、その天井面にゴム板を取り付けたことを特徴とする犬の乾燥機。
【請求項２】
乾燥機本体と天板とからなる犬の乾燥機であって、前記天板の上面にゴム板を取り付けたことを特徴とする犬の乾燥機。
【請求項３】
５０％以上の開口率を有する部材からなる円筒面を有する籠と、前記円筒面の外側を公転し前記円筒面側にノズルを有するノズルダクトと、前記ノズルダクトに空気を送風するブロアと、前記ブロアで送風する空気を暖めるヒータと、装置を囲うケーシングを有する乾燥機本体と、    
前記乾燥機本体の前記ケーシングの天井面に取り付け可能な天板であって、その上面にゴム板を取り付けた天板とを備えたことを特徴とする犬の乾燥機。
【請求項４】
請求項３に記載した犬の乾燥機において、天板がゴム板を取り付けるためのゴム窪を有し、さらに、前記天板を乾燥機本体に取り付けるための取付窪を有することを特徴とする犬の乾燥機。
【請求項５】
請求項４に記載した犬の乾燥機であって、平面視において、天板が乾燥機本体より２０〜５０ｍｍはみでる大きさとし、さらに、前記天板の四隅を円弧形状にしたことを特徴とする犬の乾燥機。
【請求項６】
請求項２〜請求項５のいずれかに記載した犬の乾燥機において、天板を木材又は合成樹脂製としたことを特徴とする犬の乾燥機。
【請求項７】
５０％以上の開口率を有する部材からなる円筒面を有する籠と、前記円筒面の外側を公転し前記円筒面側にノズルを有するノズルダクトと、前記ノズルダクトに空気を送風するブロアと、前記ブロアで送風する空気を暖めるヒータと、装置を囲うケーシングを有する犬の乾燥機であって、前記ケーシングの天井面にゴム板を取り付けたことを特徴とする犬の乾燥機。
【請求項８】
請求項７に記載した犬の乾燥機において、ケーシングの天井面を前面、後面及び側面からそれぞれ２０〜５０ｍｍはみでる大きさとし、さらに、前記天井面の四隅を円弧形状にしたことを特徴とする犬の乾燥機。
【請求項９】
請求項７又は請求項８のいずれかに記載した犬の乾燥機において、天井面の外周に木材又は合成樹脂製の保護部材を取り付けたことを特徴とする犬の乾燥機。
【考案の詳細な説明】
【技術分野】
【０００１】
本考案は、トリミング店でトリマーが犬を洗った後に、犬を乾かすために使用する犬の乾燥機に関する。特に、小型で効率的な犬の乾燥機であって、犬を乾燥させた後に犬の毛をカットすることに適した犬の乾燥機に関する。
【背景技術】
【０００２】
トリミング店では犬を洗った後に犬を乾かし、続いて犬の毛をカットした後にトリートメント処理をしている。
トリマーの作業は、犬を洗った後にタオルで拭き、その後ドライヤーを使用して温風を吹き付けて犬を乾燥させていた。そしてテーブルの上に犬を載せて犬の毛をカットした後にトリートメント処理をしていた。
しかし体全体に長い毛を有する犬は、乾燥のために長時間を要する問題があった。また、犬はおとなしくじっとしていることは少なく常に動くため、犬を静止させるために手間がかかり、犬の乾燥はトリマーにとって大きな負担となっていた。
そこで、小型で効率的に犬を乾燥させる犬の乾燥機を試作してトリミング店に提供することを考えたが、トリミング店は小規模な業者が小さなスペースで営業していることが多く、新たに犬の乾燥機を導入するためのスペースを持たない問題があった。
しかし、いずれのトリミング店においても犬の毛をカットするためのテーブルを設置している。そこで、犬の毛をカットするためのテーブルの設置スペースと同じスペースの中に収まる犬の乾燥機であって、その上に犬を載せて犬の毛をカットすることに適した犬の乾燥機であれば、多くのトリミング店で導入することが可能となると考えられる。
【考案の開示】
【考案が解決しようとする課題】
【０００３】
本考案の目的は、トリミング店でトリマーが犬の毛をカットするために使用しているテーブルと同じ設置スペースに収まる小型な犬の乾燥機であって、その上に犬を載せて犬の毛をカットすることに適した犬の乾燥機を提供することにある。
【課題を解決するための手段】
【０００４】
犬を格納することを可能とした籠であって、５０％以上の開口率を有する部材からなる円筒面を有する籠を設ける。
また、籠の円筒面の外側を公転するノズルダクトを設け、ノズルダクトの円筒面側にノズルを設ける。そして、ノズルダクトに空気を送風するブロアと、ブロアで送風する空気を暖めるヒータと、装置を囲うケーシングを有する犬の乾燥機又は乾燥機本体とする。
さらに、ケーシングの天井面にゴム板を取り付けた犬の乾燥機とする。あるいは、乾燥機本体とゴム板を取り付けた天板を組み合わせた犬の乾燥機とする。
【考案の効果】
【０００５】
本発明により、ノズルダクトを籠の外側を公転させつつ、ノズルから温風を吹き付ける構成としたので、犬の体の一定の部位に連続して温風を吹き付けることにならず、吹き付ける温風の温度を高温（５０〜７０度）にすることができた。このため、短時間で効率的に犬を乾燥させる効果が得られた。
また、ノズルダクトが籠の外側を公転しつつ、３６０度の全方位から犬の体全体にまんべんなく温風を吹き付ける構成としたので、犬の腹の部分や、尾と体が接触する部分や、脇の下の部分など局部的に乾きが悪い部分が生じる問題がなくなり、さらに効率的に犬を乾燥させることができる効果が得られた。
また、犬を籠に格納して乾燥させる構成としたので、犬を静止させるためにトリマーに大きな負担をかける問題のない、犬の乾燥機を提供することができた。
また、扉に穴を設けた犬の乾燥機として、犬が穴から首を出すように構成したので、温風の吹き付けを最も効率よく受ける位置に犬を静止させることが可能となると同時に、犬は顔に温風の吹き付けを受けることがなくなり、犬が目や鼻や肺の病気を罹患する問題がなくなる効果が得られた。
さらに、トリミング店でトリマーが犬の毛をカットするために使用しているテーブルと同じ設置スペースに収まる小型な犬の乾燥機であって、その上に犬を載せて犬の毛をカットすることに適した犬の乾燥機を提供することができた。
【考案を実施するための最良の形態】
【０００６】
請求項１の考案は、犬の乾燥機であって、その天井面にゴム板を取り付けた犬の乾燥機とする。
天井面にゴム板を取り付ければ、犬がその上で手足を滑らせることがなく、また犬が爪を痛めることもないので、犬を保護することが可能になり、その上に犬を載せた状態で犬の毛をカットすることに適した犬の乾燥機とすることができるからである。特に、凹凸を有するゴム板を取り付けると、犬の足がゴムの凹凸により滑ることがなく更に好ましい。
請求項２の考案は、乾燥機本体と天板とからなる犬の乾燥機であって、前記天板の上面にゴム板を取り付けた犬の乾燥機とする。
乾燥機本体と天板を組み合わせた犬の乾燥機とすることにより、乾燥機本体を単体で使用することも、乾燥機本体と天板を組み合わせた状態で使用することも可能となり、適用範囲の広い犬の乾燥機とすることができるからである。
【０００７】
請求項３の考案は、５０％以上の開口率を有する部材からなる円筒面を有する籠と、前記円筒面の外側を公転し前記円筒面側にノズルを有するノズルダクトと、前記ノズルダクトに空気を送風するブロアと、前記ブロアで送風する空気を暖めるヒータと、装置を囲うケーシングを有する乾燥機本体と、
前記乾燥機本体のケーシングの天井面に取り付け可能な天板であって、その上面にゴム板を取り付けた天板とを備えた犬の乾燥機とする。
籠は完全な円筒でなくてもよい。多角形の断面を有する筒とすることなどにより実質的に円筒形に近い籠を得ることは可能だからである。
円筒面の材料としては、打ち抜き材料、網状の材料、格子状の材料、簀の子状の材料、エキスパンドメタル状の材料などが考えられ、その全面積に対する空間の比率である開口率が５０％以上であることが好ましい。さらには６０％、７０％、８０％、９０％と開口率を高くすれば高くする程好ましい。
開口率は高いほど好ましいが、あまり目の粗い材料で犬の足が乗る部分を構成すると犬が足を踏み外す問題が生じる。かかる場合には、犬の足が乗る部分のみ開口率の低い部材として、他の部分に開口率の高い部材を用いることにより、全体として開口率が５０％さらにはもっと高い開口率になる籠とする方法は有効である。
そして、ノズルダクトの円筒面側には多数のノズルを設ける。
ノズルダクトを公転させる構成としては、籠の外側に設けた輪の形状を有する２本のレール上をノズルダクトが走行する構成としたり、回転するアームに取り付けたノズルダクトを籠の外側を公転させる構成とすることは好ましい。
この場合、ブロアからノズルダクトへのダクト配管の途中に回転継ぎ手を使用する必要がある。
また、送風管であって回転可能に保持されたダクト軸部とノズルダクトとを連結管で連結し、ダクト軸部の回転に伴い円筒面の外側をノズルダクトが公転するようにし、ダクト軸部を回転させるための回転駆動部を設ける構成も好ましい。
この場合、ブロアとダクト軸部とを連結する給気ダクトを設け、給気ダクトとダクト軸部との結合部には空気が漏れないようにシールを設けることが好ましい。
そして、ブロアの空気吸込部、ブロアからノズルダクトへのダクト配管又はブロアとダクト軸部とを連結する給気ダクトのいずれかの中にヒータを設ける。
さらに、以上の構成を囲うケーシングを設けることにより乾燥機本体を構成する。
また、乾燥機本体とは別に天板を設け、天板の上面にゴム板を取り付け、乾燥機本体と天板とを組み合わせることにより、その天井面にゴム板を取り付けた犬の乾燥機を構成するようにしたものである。
【０００８】
請求項４の考案は、請求項３に記載した犬の乾燥機において、天板がゴム板を取り付けるためのゴム窪を有し、さらに、前記天板を乾燥機本体に取り付けるための取付窪を有する犬の乾燥機とする。
天板に窪みを設け、これをゴム窪として厚さ２〜１０ｍｍのゴム板を取り付けることが好ましい。
また、天板の取付溝は乾燥機の上部の外形状に合わせた内形状を有するものとし、乾燥機の上部に天板の取付溝をはめ込む構成とすることが好ましい。
請求項５の考案は、請求項４に記載した犬の乾燥機であって、平面視において、天板が乾燥機本体の前面、後面及び側面よりそれぞれ２０〜５０ｍｍはみでる大きさとし、さらに、前記天板の四隅を円弧形状にした犬の乾燥機とする。
天板が乾燥機本体より２０〜５０ｍｍはみでる構成とすることにより、乾燥機本体に取り付けたスイッチ、ドアロック、ヒンジなどにトリマーの体が触れることを防止すると共に、トリマーが天板に腹や腰を接触させて作業することが可能となり、自由な作業を阻害することなく楽な姿勢で犬の毛をカットすることができるようになるからである。
また、天板の四隅を円弧形状にしたのはトリマーが腹や腰を角にぶつけて痛い思いをしたり、衝突を避けるために自由な作業ができなくなることを防止するためである。
請求項６の考案は、請求項２〜請求項５のいずれかに記載した犬の乾燥機において、天板を木材又は合成樹脂製とした犬の乾燥機とする。
天板を木材又は合成樹脂とすることにより、人の肌に優しく、軽くて安価な天板とすることができるからである。
【０００９】
請求項７の考案は、５０％以上の開口率を有する部材からなる円筒面を有する籠と、前記円筒面の外側を公転し前記円筒面側にノズルを有するノズルダクトと、前記ノズルダクトに空気を送風するブロアと、前記ブロアで送風する空気を暖めるヒータと、装置を囲うケーシングを有する犬の乾燥機であって、前記ケーシングの天井面にゴム板を取り付けた犬の乾燥機とする。
本考案は請求項３に記載した犬の乾燥機における乾燥機本体のケーシングの天井面にゴム板を取り付けることにより、その天井面にゴム板を取り付けた犬の乾燥機を構成するようにしたものである。
重複した記載を避け、請求項３に記載した構成と同じ構成についての記載を省略する。
請求項８の考案は、請求項７に記載した犬の乾燥機において、ケーシングの天井面を前面、後面及び側面からそれぞれ２０〜５０ｍｍはみでる大きさとし、さらに、天井面の四隅を円弧形状にした犬の乾燥機とする。
天井面が前面、後面及び側面よりそれぞれ２０〜５０ｍｍはみでる構成とすることにより、乾燥機本体に取り付けたスイッチ、ドアロック、ヒンジなどにトリマーの体が触れることを防止すると共に、トリマーが天井面に腹や腰を接触させて作業することが可能となり、自由な作業を阻害することなく楽な姿勢で犬の毛をカットすることができるようになるからである。
また、四隅を円弧形状にしたのはトリマーが腹や腰を角にぶつけて痛い思いをしたり、衝突を避けるために自由な作業ができなくなることを防止するためである。
請求項９の考案は、請求項７又は請求項８に記載した犬の乾燥機において天井面の外周に木材又はプラスチック製の保護部材を取り付けた犬の乾燥機とする。
天井面の外周に木材又は合成樹脂の保護部材を取り付けることにより、人の肌が触れたときに優しく触れることのできる天井面とすることができるからである。
【実施例１】
【００１０】
以下本発明の実施例１を図１及び図２に示し説明する。
実施例１の犬の乾燥機１は床面３ａ、前面３ｂ、後面３ｃ、天井面３ｄ及び２枚の側面３ｅからなるケーシング３と、円板面２ｂを垂直にしてケーシング３に取り付けた籠２と、回転可能に保持したノズルアーム７と、ノズルアーム７を回転させる回転駆動部５及びブロア１０などを有するものとした。
ここで、ケーシングの天井面３ｄは前面３ｂ、後面３ｃ、２枚の側面３ｅからそれぞれ２５ｍｍはみでる大きさとして四隅を円弧形状にした、さらに薄い部分で２ｍｍ厚い部分で３ｍｍの厚さを有する凹凸のある硬質のゴム板２２を取り付けた。
ケーシングの前面３ｂには扉４を取り付け、扉４はヒンジ１１を介して前面３ｂに対して開閉可能に取り付けた。また、扉４には上部の概略半円弧と下部の概略半円弧を接線で結んだ形状に区画した長穴４ａを設け、首穴板６を扉４に沿ってスライド可能に拘束する２本のガイド４ｅと、首穴板の位置決めを行うためのストッパ４ｆを取り付けた。
また、穴６ａを有する首穴板６を扉４に重ねて取り付けた。穴６ａは首穴板６の一方の辺近くであって他方の辺から離れた位置に設けた。そして、一方の辺を下にしてストッパ４ｆに当てると扉４の下部の概略半円弧の中心と穴６ａの中心が一致し、他方の辺を下にしてストッパ４ｆに当てると扉４の上部の概略半円弧の中心と穴６ａの中心が一致するように構成した。
籠２は円筒面２ｃと、後方の円板面２ｂと、前方の円板面の全部を開口とした開口面２ａとからなる円筒形状を有するものとし、円筒面２ｃと円板面２ｂは開口率７０％以上のエキスパンドメタルを使用した。そして、開口面２ａをケーシング３の扉４に向けて取り付けた。
【００１１】
ノズルアーム７は、いずれも送風管としたダクト軸部７ｂと、ノズルダクト７ｃ及び連結管７ｄとからなり、ノズルダクト７ｃの円筒面２ｃ側及び連結管７ｄの円板面２ｂ側には多数のノズル７ａを設けた。
また、支持フレーム８によりケーシングの床面３ａに固定した軸受ケース８ｂを設け、軸受ケース８ｂに取り付けた２個のベアリング８ａを介してダクト軸部７ｂを回転可能に保持し、ダクト軸部７ｂの回転中心と籠の円筒面２ｃの中心とを一致させた。
さらに、モータ５ａと駆動ホイール５ｃと従動ホイール５ｂとからなる回転駆動部５を設け、従動ホイール５ｂをダクト軸部７ｂに取り付け、駆動ホイール５ｃと従動ホイール５ｂとが互いに押し合い接触するように構成した。
また、外気ダクト１２の外気吸込口１２ａ及び外気吹出口１２ｂの面積をブロアの空気吸引口１０ａの面積より小さくし、ケーシングの後面３ｃの穴にダクト吸込口１２ａを取り付け、外気吹出口１２ｂをブロア１０の空気吸引口１０ａに向けて外気ダクト１２を設け、空気吸引口１０ａを正面から見たときに外気吹出口１２ｂが空気吸引口１０ａの面積内に収まるよう配置して、ブロアの空気吸引口１０ａと外気吹出口１２ｂとの間に隙間を設けた。
そして、外気吸込口１２ａ付近に３．１ｗのファン１４を取り付けた。さらに、３２０Ｗのブロア１０を設け、ブロア１０の吹出口とダクト軸部７ｂとを給気ダクト９で連結し、給気ダクト９内に１２００Ｗのヒータ９ｂを取り付けた。そして、ダクト軸部７ｂと給気ダクト９の間にはシール９ａを取り付けた。
また、空気吸引口１０ａには開目１ｍｍの金網からなる図示しないフィルタを取り付けた。犬から抜け落ちた毛を取り除くためである。  
また、籠２の下には容器２０を設け、前面３ｂ側に取り付けた図示していない取っ手を押し引きすることにより、容器２０を引き出すことを可能に取り付けた。そして、ケーシング３には図示しない排気口を設けた。
【００１２】
実施例１は上記のように構成されており、以下その作用について説明する。犬を洗った後に乾燥させるため実施例１のペットの乾燥機を使用するトリマーは、首穴の高さを犬に合わせて設定する。
首穴板６をスライドさせてガイド４ｅから抜き出し、犬が小型の場合は一方の辺を下にして、犬が大型の場合は他方の辺を下にして、ガイド４ｅに差し込み一方の辺又は他方の辺がストッパ４ｆに当たるまで差し込む。
このようにすると、犬が小型の場合は下部の概略半円弧と穴６ａの上方の円弧とで構成する首穴となり、犬が大型の場合は扉４の上部の概略半円弧と一致する穴６ａで構成する首穴となる。  
そして、扉４を開けて犬を籠２に格納した後に扉４を閉める。トリマーが声がけすると犬は首穴から顔を出してトリマーに触れ合おうとする。このように、本考案は小型の犬と大型の犬に合わせ２段階で首穴６ａの高さを調整可能としたものである。
その後モータ５ａとブロア１０とファン１４を駆動する。すると、駆動ホイール５ｃの回転に伴い従動ホイール５ｂは回転する。従動ホイール５ｂの回転と共にノズルアーム７は回転し、ノズルダクト７ｃは籠の円筒面２ｃの外側を公転する。
また、ファン１４に吸引された外気は外気吸込口１２ａを通り外気吹出口１２ｂからブロア１０の空気吸引口１０ａに向かって吹出す。
ファン１４により供給された外気の全てとケーシング３内の内気は共にブロア１０に吸引され、給気ダクト９を通過する間にヒータ９ｂにより加熱され、ダクト軸部７ｂを通過して連結管７ｄ及びノズルダクト７ｃに供給され、ノズルダクト７ｃと連結管のノズル７ａから吹き出して、円周面２ｃと円板面２ｂの空間を通過して犬に吹き付ける。
【００１３】
３．１ｗのファン１４の動力は、３２０Ｗのブロア１０の動力に比べ非常に小さな動力としたため、大半は内気を吸引して外気を少し混合させるよう外気と内気の量を調節したことになる。
そして、犬に吹き付けた後の湿った空気の大半は再びブロア１０に吸引されるが、一部（ファン１４によって吸い込まれた量と同じ量の内気）はケーシング３に取り付けた図示しない排気口から外に流れる。
本考案では、ノズルアーム７は犬の回りを常に公転しているので、犬の体全体にまんべんなく温風を吹き付けることができ、犬の腹や、尾と体が接触する部分や、脇の下などにも温風を吹き付け、局部的に乾きの悪い部分が生じない。
また、常に移動しながら温風を吹き付ける構成とし、温風の当たる犬の部分が変化するようにしたため、温風の温度を摂氏５０〜７０度に上昇させることが可能となり、温度の高い温風を吹き付けることにより、より効率的に犬を乾かすことができる。
また、犬が扉４と首穴板６とで構成した首穴から顔を出した状態で温風を吹き付けるため、犬の顔に温風を吹き付けることがなく、犬が目や鼻や肺の病気を罹患しやすくなることはない。
犬の体から落下した水滴や毛などは、籠の下に置いた容器２０に収容されるので、容器２０を引き出して回収することは容易である。
犬を乾燥させた後には、犬をゴム板２２の上にのせ、犬の毛をカットすることができる。また実施例１の犬の乾燥機は、犬の毛をカットするためのテーブルの設置スペースと同じスペースの中に収まる小型な犬の乾燥機１である。
実施例１の考案の場合、図２に一点鎖線で示したように天井板３ｄの外周を覆う保護部材２３を取り付けることが好ましい、人が触れたときに痛い思いをさせず、ソフトな感覚を与えるためである。
【実施例２】
【００１４】
続いて実施例２の考案を図３及び図４に示し説明する。重複した記載を避けるため実施例１と異なる点のみ記載する。
実施例２の考案は実施例１に対し、ケーシング３５の天井面を前面３ｂ、後面３ｃ、２枚の側面３ｅに揃えた大きさの天井面３ｆとした乾燥機本体３２と、天板３３を組み合わせてなる犬の乾燥機３１とした。
天板３３は木材製とし、ケーシング３５の前面３ｂ、後面３ｃ、２枚の側面３ｅからそれぞれ２５ｍｍはみでる大きさとし、四隅を円弧形状にした。また深さ５ｍｍのゴム窪３３ｂを設け、薄い部分で２ｍｍ厚い部分で３ｍｍの厚さを有する凹凸のある硬質のゴム板３４を取り付けた。
また、天板３３の取付溝３３ａはケーシング３５の上部の外形状に合わせた内形状を有するものとし、ケーシング３５の上部に天板３３の取付溝３３ａをはめ込んで取り付ける構成とした。
実施例２のペットの乾燥機３１は、乾燥機本体３２と天板３３を分離可能にしたため、設置スペースのないトリミング店にも、設置スペースに余裕があってトリミング用のテーブルと乾燥機本体３２を別々に設置するトリミング店にも利用される効果がある。
【産業上の利用可能性】
【００１５】
本発明は、犬の乾燥機を製造販売する産業、ペット関連物品を流通させたり販売する産業及び犬を対象としたトリミングサービスを提供する産業に利用される。
【図面の簡単な説明】
【００１６】
【図１】前方左斜め上方から見た実施例１の斜視図である。
【図２】側面から見た実施例１の断面図である。
【図３】前方左斜め上方から見た実施例２の斜視図である。
【図４】側面から見た実施例２の断面図である。
【符号の説明】
【００１７】
１  ：犬の乾燥機            ２  ：籠                    ２ａ：開口面
２ｂ：円板面                ２ｃ：円筒面                ３  ：ケーシング
３ａ：床面                  ３ｂ：前面                  ３ｃ：後面
３ｄ：天井面                ３ｅ：側面                  ３ｆ：天井面
４  ：扉                    ４ａ：長穴                  ４ｅ：ガイド
４ｆ：ストッパ              ５  ：回転駆動部            ５ａ：モータ
５ｂ：従動ホイール          ５ｃ：駆動ホイール          ６  ：首穴板
６ａ：穴                    ７  ：ノズルアーム          ７ａ：ノズル
７ｂ：ダクト軸部            ７ｃ：ノズルダクト          ７ｄ：連結管
８  ：支持フレーム          ８ａ：ベアリング            ８ｂ：軸受ケース
９  ：給気ダクト            ９ａ：シール                ９ｂ：ヒータ
１０  ：ブロア              １０ａ：空気吸引口          １１  ：ヒンジ
１２  ：外気ダクト          １２ａ：外気吸込口          １２ｂ：外気吹出口
１４  ：ファン              ２０  ：容器                ２２  ：ゴム板
２３  ：保護部材            ３１  ：犬の乾燥機          ３２  ：乾燥機本体
３３  ：天板                ３３ａ：取付窪              ３３ｂ：ゴム窪
３４  ：ゴム板              ３５  ：ケーシング
【図１】
0003115659.tif 000003
【図２】
0003115659.tif 000004
【図３】
0003115659.tif 000005
【図４】
0003115659.tif 000006